(57)【要約】【課題】  地絡・短絡等の事故を防止することができ、簡単な操作でピン式とクリップ式とを切り替え可能としたプローブおよび電気設備試験用接続具を提供すること。【解決手段】  ケース１１外部に引き出される導線４１と電気的に接続される固定導体１４と、第１引張ばね２４と、一対のクリップ片２２Ａ，２２Ｂと、クリップ片を回転自在に取り付ける根元部２３と、クリップ片の先端部同士を開く方向に弾性付勢する弾性部材２６と、を有し、第１引張ばねの他端と根元部で接合されるクリップと、一端がクリップの根元部と接合され、他端が第１ガイド部１２を通過してケースの外部に伸長して第１つまみ部を形成している第１操作部２１と、を備えて構成し、第１操作部をケースの第１ガイド部に沿って、第１引張ばねの復元力に抗して摺動させることにより、クリップのクリップ片の先端部をケースの外部に押し出す。【選択図】  図１
2016217794.tif 000002
【特許請求の範囲】
【請求項１】
一端が開口され、他端が底面で閉じて形成される筒状の絶縁性のケースと、
前記ケースの底面の内面側に接して固定され、該底面に形成された孔を介して前記ケース外部に引き出される導線と電気的に接続される固定導体と、
一端が前記固定導体に接合された導電性の導電性の第１引張ばねと、
導電性の一対のクリップ片と、前記クリップ片を回転自在に取り付ける導電性の根元部と、前記クリップ片の先端部同士を開く方向に弾性付勢する弾性部材と、を有し、前記クリップ片の先端部が前記ケースの開口側となるよう配されて、前記第１引張ばねの他端と前記根元部で接合されるクリップと、
一端が前記クリップの根元部と接合され、他端が前記ケースの側面に設けられた前記ケースの伸長方向に伸びるスリット状の第１ガイド部を通過して前記ケースの外部に伸長して第１つまみ部を形成している絶縁性の第１操作部と、を備え、
前記第１操作部の第１つまみ部を前記ケースの第１ガイド部に沿って、前記第１引張ばねの復元力に抗して摺動させることにより、前記クリップのクリップ片の先端部を前記ケースの外部に押し出すことを特徴とするプローブ。
【請求項２】
前記第１操作部の摺動可能範囲において、前記ケースの内壁に設置され前記クリップの外周面と接する内壁部材を、備えることを特徴とする請求項１に記載のプローブ。
【請求項３】
前記固定導体は中空であって、
一端が前記固定導体の底面側内壁に接合された導電性の第２引張ばねと、
側周面が前記固定導体の側面内壁に接して、一方の面が前記第２引張ばねの他端と接合される導電性の板状部材と、
一端が前記板状部材の他方の面と接合され、他端が前記固定導体の開口側の面に設けられた第１の孔を貫通して、前記ケースの開口部近傍まで伸長し、先端部が先鋭形状に形成されているピンと、
一端が前記板状部材の他方の面と接合され、他端が前記ケースまたは前記ケースおよび前記固定導体の側面に設けられた前記ケースの伸長方向に伸びるスリット状の第２ガイド部を通過して前記ケースの外部に伸長して第２つまみ部を形成している絶縁性の第２操作部と、を備え、
前記ピンは、前記第１引張ばねの内側、並びに、前記クリップの前記根元部に設けられた孔を貫通しており、前記第２操作部の第２つまみ部を前記ケースの第２ガイド部に沿って、前記第２引張ばねの復元力に抗して摺動させることにより、前記ピンの先端部を前記ケースの外部に押し出すことを特徴とする請求項１または請求項２に記載のプローブ。
【請求項４】
前記第２操作部は、前記固定導体の開口側の面に設けられた第２の孔を貫通して伸長する接続部材を介して、一端が前記板状部材の他方の面と接合され、
前記第１ガイド部と、前記第２ガイド部とが、略平行して配されていることを特徴とする請求項３に記載のプローブ。
【請求項５】
一端が開口され、他端が底面で閉じて形成される筒状の絶縁性のケースと、
前記ケースの底面の内面側に接して固定され、該底面に形成された孔を介して前記ケース外部に引き出される導線と電気的に接続される中空の固定導体と、
一端が前記固定導体の底面側内壁に接合された導電性の第２引張ばねと、
側周面が前記固定導体の側面内壁に接して、一方の面が前記第２引張ばねの他端と接合される導電性の板状部材と、
一端が前記板状部材の他方の面と接合され、他端が前記固定導体の開口側の面に設けられた第１の孔を貫通して、前記ケースの開口部近傍まで伸長し、先端部が先鋭形状に形成されているピンと、
一端が前記板状部材の他方の面と接合され、他端が前記ケースおよび前記固定導体の側面に設けられた前記ケースの伸長方向に伸びるスリット状の第２ガイド部を通過して前記ケースの外部に伸長して第２つまみ部を形成している絶縁性の第２操作部と、を備え、
前記第２操作部の第２つまみ部を前記ケースの第２ガイド部に沿って、前記第２引張ばねの復元力に抗して摺動させることにより、前記ピンの先端部を前記ケースの外部に押し出すことを特徴とするプローブ。
【請求項６】
前記第２ガイド部は、開口側端部近傍で前記ケースの伸長方向と略垂直方向に伸びるスリット状の係止部を備えることを特徴とする請求項３乃至請求項５の何れか１項に記載のプローブ。
【請求項７】
請求項１乃至請求項６の何れか１項に記載のプローブを複数備え、前記プローブ間を保護用ヒューズを介して接続したことを特徴とする電気設備試験用接続具。
【発明の詳細な説明】
【技術分野】
【０００１】
この発明はプローブおよび電気設備試験用接続具に関し、特に、プローブが充電部に接触して引き起こされる地絡・短絡等の事故を防止することができ、簡単な操作でピン式とクリップ式とを切り替え可能としたプローブおよび電気設備試験用接続具に関する。
【背景技術】
【０００２】
従来、変電所等の電気設備において、測定試験を行う場合にテスターを使用しており、該テスターに取り付けられるプローブにはクリップ式（ワニ口）とピン式（棒状）のものがある。クリップ式のプローブを用いる場合には、プローブを手で保持する必要がなく、手が自由に使えるため、効率的に測定作業を行うことができる。また、測定箇所が絶縁されクリップが入らない個所では，ピン式のプローブに取り替えて測定を行っている。また、端子台上の異なる端子について順次測定していくような場合にも、端子毎にクリップにより端子頭部を挟み込む操作よりも、端子に順次ピンを当接させる操作の方が効率的であることから、ピン式のプローブを用いることが多い。このように、測定箇所に応じてクリップ式とピン式のプローブを付替えて測定作業を行っているため，作業効率が低下して時間がかかるという事情があった。
【０００３】
特許文献１には、ピン式の接触子を備えた接触棒の先端にクリップ式の接触棒を着脱自在とし、電気特性を測定するときの状況に応じて使い分ける電気測定器具の接触棒が提案されている。クリップ式の接触棒を接触棒から取り外すとピン式の接触子として測定可能であり、また、接触棒を接触棒に装着すればグリップ式として測定可能である。
【０００４】
また他方で、クリップ式のプローブを用いる場合には、測定作業中にクリップが外れることがあり，外れたクリップが周囲の充電個所に接触することで，電気回路の地絡・短絡を起こし，機器の破損や停電事故を引き起すという事情もある。
【０００５】
特許文献２には、接触体の先端に磁石を設け、その中心孔に接触棒を貫通させたマグネットプローブの構造が開示されており、測定作業において頻繁に移動する場合、測定箇所（ボルト等金属）にプローブを磁石で瞬時に吸着させて測定可能としている。
【先行技術文献】
【特許文献】
【０００６】
【特許文献１】特開２０００−１３１３３９号公報
【特許文献２】特開２００１−３４３３９８号公報
【発明の概要】
【発明が解決しようとする課題】
【０００７】
しかしながら、特許文献１に開示の電気測定器具の接触棒では、測定棒の先端をピン式またはクリップ式に替える場合に、一旦測定作業を中断して測定棒の先端を差替える必要があり、頻繁に差替える必要のある場合は作業効率が悪くなる。また、電気設備の測定作業を行う場合には、周囲が充電部に囲まれている状況が多く、先端の測定棒の取替時に誤って落下させると、充電部に接触して地絡・短絡等の事故を引き起す恐れがある。さらに、測定作業中に先端が外れて落下した場合も同様である。
【０００８】
また、特許文献２に開示のマグネットプローブでは、測定作業において磁石で吸着する必要がある。電気設備の多くは測定箇所の金属部に磁性体と非磁性体が混在しており、測定作業中に見分けることは困難であるため、測定箇所が非磁性体の場合に、プローブが落下して充電部に接触して地絡・短絡等の事故を引き起す恐れがある。また、電気設備の測定場所は狭隘な個所が多く、周囲は充電部に囲まれているため、ピン式のプローブを測定箇所に近づける場合は充電部に接触しないよう慎重に行う必要があり、頻繁に測定箇所を移動する作業では作業効率が悪くなる。さらに、プローブを測定箇所に吸着させるために測定箇所に押し当てる必要があるが、測定箇所が球状や筒状の場合も多く、押し当てる際に先端が滑って隣接の充電個所に接触し、地絡・短絡等の事故を引き起す恐れもある。
【０００９】
なお、以上の説明では、プローブに関わる課題について言及したが、電気設備試験用接続具についても同様である。電気設備の保守では、例えば、２箇所の端子間をプローブで接続させて試験を行う場合があるが、このような場合でも、上述したようなプローブの取り替えの作業性の問題があり、また、プローブが充電部に接触して地絡・短絡等の事故を引き起す恐れの問題もある。
【００１０】
そこでこの発明は、プローブが充電部に接触して引き起こされる地絡・短絡等の事故を防止することができ、簡単な操作でピン式とクリップ式とを切り替え可能としたプローブおよび電気設備試験用接続具を提供することを目的とする。
【課題を解決するための手段】
【００１１】
上記課題を解決するために、請求項１の発明は、一端が開口され、他端が底面で閉じて形成される筒状の絶縁性のケースと、前記ケースの底面の内面側に接して固定され、該底面に形成された孔を介して前記ケース外部に引き出される導線と電気的に接続される固定導体と、一端が前記固定導体に接合された導電性の第１引張ばねと、導電性の一対のクリップ片と、前記クリップ片を回転自在に取り付ける導電性の根元部と、前記クリップ片の先端部同士を開く方向に弾性付勢する弾性部材と、を有し、前記クリップ片の先端部が前記ケースの開口側となるよう配されて、前記第１引張ばねの他端と前記根元部で接合されるクリップと、一端が前記クリップの根元部と接合され、他端が前記ケースの側面に設けられた前記ケースの伸長方向に伸びるスリット状の第１ガイド部を通過して前記ケースの外部に伸長して第１つまみ部を形成している絶縁性の第１操作部と、を備え、前記第１操作部の第１つまみ部を前記ケースの第１ガイド部に沿って、前記第１引張ばねの復元力に抗して摺動させることにより、前記クリップのクリップ片の先端部を前記ケースの外部に押し出すことを特徴とする。
【００１２】
請求項１の発明では、クリップをケースの外部に押し出すと、クリップ片の先端部は弾性部材の弾性付勢によって拡げられるかたちとなる。この状態で、クリップ片の先端部内側に端子頭部を当接させて挟み込み、第１操作部の第１つまみ部から指を離せば、クリップ片には第１引張ばねの復元力のみが働くので、ケースの底面側方向に引っ張られる力によってクリップ片の先端部内側が端子頭部に食い込み、端子へのクリップ片の接続が機械的に強固なものとなる。仮に、プローブ（クリップ片）が端子から外れて落下した場合でも、第１引張ばねの復元力により、即座にクリップ片の先端部はケース内に収納されて、プローブの外周は絶縁性のケースのみとなるので、周囲の充電部にプローブが接触したとしても、地絡・短絡等の事故を引き起すことは無い。
【００１３】
請求項２の発明は、請求項１に記載のプローブにおいて、前記第１操作部の摺動可能範囲において、前記ケースの内壁に設置され前記クリップの外周面と接する内壁部材を備えることを特徴とする。
【００１４】
請求項３の発明は、請求項１または請求項２に記載のプローブにおいて、前記固定導体は中空であって、一端が前記固定導体の底面側内壁に接合された導電性の第２引張ばねと、側周面が前記固定導体の側面内壁に接して、一方の面が前記第２引張ばねの他端と接合される導電性の板状部材と、一端が前記板状部材の他方の面と接合され、他端が前記固定導体の開口側の面に設けられた第１の孔を貫通して、前記ケースの開口部近傍まで伸長し、先端部が先鋭形状に形成されているピンと、一端が前記板状部材の他方の面と接合され、他端が前記ケースまたは前記ケースおよび前記固定導体の側面に設けられた前記ケースの伸長方向に伸びるスリット状の第２ガイド部を通過して前記ケースの外部に伸長して第２つまみ部を形成している絶縁性の第２操作部と、を備え、前記ピンは、前記第１引張ばねの内側、並びに、前記クリップの前記根元部に設けられた孔を貫通しており、前記第２操作部の第２つまみ部を前記ケースの第２ガイド部に沿って、前記第２引張ばねの復元力に抗して摺動させることにより、前記ピンの先端部を前記ケースの外部に押し出すことを特徴とする。
【００１５】
請求項３の発明では、クリップを用いる際には第１操作部の第１つまみ部を操作し、ピンを用いる際には第２操作部の第２つまみ部を操作すればよく、簡単な操作でクリップとピンとの切換が可能となる。また、ピン使用時に、プローブが端子から外れた場合でも、第２引張ばねの復元力により、即座にピンの先端部をケース内に収納することができ、周囲の充電部にプローブが接触したとしても、地絡・短絡等の事故を引き起すことは無い。
【００１６】
請求項４の発明は、請求項３に記載のプローブにおいて、前記第２操作部は、前記固定導体の開口側の面に設けられた第２の孔を貫通して伸長する接続部材を介して、一端が前記板状部材の他方の面と接合され、前記第１ガイド部と、前記第２ガイド部とが、略平行して配されていることを特徴とする。
【００１７】
請求項５の発明は、一端が開口され、他端が底面で閉じて形成される筒状の絶縁性のケースと、前記ケースの底面の内面側に接して固定され、該底面に形成された孔を介して前記ケース外部に引き出される導線と電気的に接続される中空の固定導体と、一端が前記固定導体の底面側内壁に接合された導電性の第２引張ばねと、側周面が前記固定導体の側面内壁に接して、一方の面が前記第２引張ばねの他端と接合される導電性の板状部材と、一端が前記板状部材の他方の面と接合され、他端が前記固定導体の開口側の面に設けられた第１の孔を貫通して、前記ケースの開口部近傍まで伸長し、先端部が先鋭形状に形成されているピンと、一端が前記板状部材の他方の面と接合され、他端が前記ケースおよび前記固定導体の側面に設けられた前記ケースの伸長方向に伸びるスリット状の第２ガイド部を通過して前記ケースの外部に伸長して第２つまみ部を形成している絶縁性の第２操作部と、を備え、前記第２操作部の第２つまみ部を前記ケースの第２ガイド部に沿って、前記第２引張ばねの復元力に抗して摺動させることにより、前記ピンの先端部を前記ケースの外部に押し出すことを特徴とする。
【００１８】
請求項５の発明では、プローブが端子から外れた場合でも、第２引張ばねの復元力により、即座にピンの先端部をケース内に収納することができ、周囲の充電部にプローブが接触したとしても、地絡・短絡等の事故を引き起すことは無い。
【００１９】
請求項６の発明は、請求項３乃至請求項５の何れか１項に記載のプローブにおいて、前記第２ガイド部は、開口側端部近傍で前記ケースの伸長方向と略垂直方向に伸びるスリット状の係止部を備えることを特徴とする。
【００２０】
請求項７の発明は、請求項１乃至請求項６の何れか１項に記載のプローブを複数備え、前記プローブ間を保護用ヒューズを介して接続したことを特徴とする。
【発明の効果】
【００２１】
請求項１の発明によれば、第１操作部の操作前の状態では，クリップは絶縁性のケース内に収納されているため，測定作業で測定箇所へプローブを近づける際に，誤って周囲の充電部に接触したとしても地絡・短絡を起こす恐れはない。また、プローブ（クリップ片）が端子から外れて落下した場合でも、第１引張ばねの復元力により、即座にクリップ片の先端部はケース内に収納されて、プローブの外周は絶縁性のケースのみとなるので、周囲の充電部にプローブが接触したとしても、地絡・短絡等の事故を引き起すことは無い。
【００２２】
請求項２の発明によれば、クリップをケースの外部に押し出すと、クリップ片の先端部は、内壁部材による内径とケースによる内径との差分だけ、弾性部材の弾性付勢によって拡げられるかたちとなる。この状態で、クリップ片の先端部内側に端子頭部を当接させて挟み込み、第１操作部の第１つまみ部から指を離せば、クリップ片には第１引張ばねの復元力のみが働くので、ケースの底面側方向に引っ張られる力によってクリップ片の先端部内側が端子頭部に食い込み、端子へのクリップ片の接続が機械的に強固なものとなる。
【００２３】
請求項３の発明によれば、クリップを用いる際には第１操作部の第１つまみ部を操作し、ピンを用いる際には第２操作部の第２つまみ部を操作すればよく、測定等の作業を中断することなく、測定箇所に応じて片手による簡単な操作でクリップとピンとの切換が可能となる。特に、狭隘な測定場所であっても安全な体勢で作業を行うことができ、作業効率も向上させることができる。また、第２操作部の操作前の状態では，ピンは絶縁性のケース内に収納されているため，測定作業で測定箇所へプローブを近づける際に，誤って周囲の充電部に接触したとしても地絡・短絡を起こす恐れはない。特に、狭隘な測定場所であれば、ピンをケースに収納した状態で測定箇所まで移動し、測定時にピンを押し出して接触させて測定することで、測定箇所以外への不用意な接触を防止することができる。さらに、ピン使用時に、プローブが端子から外れた場合でも、第２引張ばねの復元力により、即座にピンの先端部をケース内に収納することができ、周囲の充電部にプローブが接触したとしても、地絡・短絡等の事故を引き起すことは無い。
【００２４】
請求項４の発明によれば、第１ガイド部と第２ガイド部とを略平行に配する構成としたので、測定箇所に応じて片手による簡単な操作でクリップとピンとの切換が可能となる。
【００２５】
請求項５の発明によれば、第２操作部の操作前の状態では，ピンは絶縁性のケース内に収納されているため，測定作業で測定箇所へプローブを近づける際に，誤って周囲の充電部に接触したとしても地絡・短絡を起こす恐れはない。また、プローブが端子から外れた場合でも、第２引張ばねの復元力により、即座にピンの先端部をケース内に収納することができ、周囲の充電部にプローブが接触したとしても、地絡・短絡等の事故を引き起すことは無い。
【００２６】
請求項６の発明によれば、係止部に第２操作部を係止して、ピン部を押し出した状態で維持可能とすることで、落下事故発生の恐れのない場面での作業性を向上させることができる。
【００２７】
請求項７の発明によれば、第１操作部または第２操作部の操作前の状態では，クリップまたはピンは絶縁性のケース内に収納されているため，測定作業で測定箇所へプローブを近づける際に，誤って周囲の充電部に接触したとしても地絡・短絡を起こす恐れはない。また、プローブ（クリップ片またはピン）が端子から外れて落下した場合でも、第１引張ばねまたは第２引張ばねの復元力により、即座にクリップ片またはピンの先端部はケース内に収納されて、プローブの外周は絶縁性のケースのみとなるので、周囲の充電部にプローブが接触したとしても、地絡・短絡等の事故を引き起すことは無い。
【図面の簡単な説明】
【００２８】
【図１】この発明の実施の形態１に係るプローブの外観を示す斜視図であり、（ａ）は何の操作も行っていない収納状態を、（ｂ）は第１操作部の操作によりクリップが押し出された状態を、（ｃ）は第２操作部の操作によりピンが押し出された状態を、それぞれ示す。
【図２】実施の形態１のプローブのクリップ部を中心とした内部構造を例示する説明図であり、（ａ）は収納状態での開口側から見た側面図、（ｂ）は収納状態での側面から見た断面図、（ｃ）はクリップが押し出された状態での側面から見た断面図である。
【図３】実施の形態１のプローブのピン部を中心とした内部構造を例示する説明図であり、（ａ）は収納状態での開口側から見た側面図、（ｂ）は収納状態での側面から見た断面図、（ｃ）はピンが押し出された状態での側面から見た断面図である。
【図４】実施の形態１のプローブの内部構造を例示する説明図であり、（ａ）はクリップ部の斜視図、（ｂ）はピン部の斜視図である。
【図５】実施の形態１のプローブを用いた測定試験の説明図である。
【図６】実施の形態１の変形例のプローブの外観を示す説明図である。
【図７】実施の形態２の電気設備試験用接続具を用いた制御用リレーの点検を例示する説明図（その１）である。
【図８】実施の形態２の電気設備試験用接続具を用いた制御用リレーの点検を例示する説明図（その２）である。
【発明を実施するための形態】
【００２９】
以下、この発明を図示の実施の形態に基づいて説明する。
【００３０】
〔実施の形態１〕
図１はこの発明の実施の形態１に係るプローブの外観を示す斜視図である。この実施の形態１のプローブ１は、クリップ部とピン部とを備えており、図１（ａ）はケース１１内にクリップ部およびピン部が収納された状態を示している。ケース１１は硬化プラスチック等の絶縁性材料で形成されており、一端が開口され、他端が底面で閉じて形成される円筒状の形状を持つ。
【００３１】
ケース１１の側面には、ケース１１の伸長方向に伸びるスリット状の第１ガイド部１２と、第２ガイド部１３とが、長孔形状で形成されている。第１ガイド部１２は、第１操作部（第１つまみ部）２１の摺動操作をガイドするもので、第１操作部（第１つまみ部）２１をケース１１の開口側へ摺動させることにより、クリップ部のクリップ（開口部分に見えるクリップ片２２Ａおよび２２Ｂ）をケース１１の外部に押し出すことができる。図１（ｂ）に第１操作部２１の操作によりクリップ（クリップ片２２Ａおよび２２Ｂ）が押し出された状態を示す。
【００３２】
また、第２ガイド部１３は、第２操作部（第２つまみ部）３１の摺動操作をガイドするもので、第２操作部（第２つまみ部）３１をケース１１の開口側へ摺動させることにより、ピン部の（開口部分に見える）ピン３２をケース１１の外部に押し出すことができる。図１（ｃ）に第２操作部３１の操作によりピン３２が押し出された状態を示す。
【００３３】
次に、図２および図４（ａ）を参照して、この実施の形態１のプローブ１のクリップ部を中心とした内部構造について説明する。クリップ部は、図２（ｂ）に示すように、固定導体１４、第１引張ばね２４、一対のクリップ片２２Ａおよび２２Ｂ、根元部２３、弾性部材２６（図４（ａ）参照）、並びに、第１操作部２１を備えている。なお、クリップ片２２Ａおよび２２Ｂの先端部がケース１１の開口側となるよう配されている。ここで、クリップ部の固定導体１４、第１引張ばね２４、クリップ片２２Ａおよび２２Ｂ、並びに、根元部２３は導電性材料で形成されている。つまり、導線４１〜固定導体１４〜第１引張ばね２４〜根元部２３〜クリップ片２２Ａおよび２２Ｂの経路で、電気的に接続されている。
【００３４】
固定導体１４は、ケース１１の底面の内面側に接して固定され、該底面に形成された孔を介してケース１１外部に引き出される導線４１と電気的に接続されている。なお、固定導体１４は中空構造であり、その内部には後述するピン部が構成されている。また、第１引張ばね２４は、引張コイルばねであり、一端が固定導体１４に接合され、他端が根元部２３に接合されている。
【００３５】
また、根元部２３は、クリップ片２２Ａおよび２２Ｂを回転自在に取り付けるものであり、具体的には図４（ａ）に示すように、接合ピン２５Ａでクリップ片２２Ａが、接合ピン２５Ｂでクリップ片２２Ｂが、それぞれ取り付けられている。つまり、クリップ片２２Ａは接合ピン２５Ａを軸として回転動作し、クリップ片２２Ｂは接合ピン２５Ｂを軸として回転動作することになる。さらに、弾性部材２６は、クリップ片２２Ａおよび２２Ｂの先端部同士を開く方向に弾性付勢するもので、図４（ａ）にはその詳細を図示していないが、例えば、接合ピン２５Ａおよび２５Ｂの周囲に巻かれるコイルばねを用いる。なお、立体的に、ケース１１の長手方向の中心軸となる位置にはピン３２が存在しており、付勢バランスを保つにはピン３２の両側にコイルばねを配するのが望ましい。また、２つの接合ピン２５Ａ，２５Ｂを配しているのも、ピン３２の存在のためである。
【００３６】
また、第１操作部２１は、硬化プラスチック等の絶縁性材料で形成されており、一端（２１ｂ）が根元部２３と接合され、他端がケース１１の側面および内壁部材１５Ａに設けられたケース１１の伸長方向に伸びるスリット状の第１ガイド部１２を通過してケース１１の外部に伸長して、第１つまみ部（２１）が形成されている。図２（ｃ）に示すように、第１操作部の第１つまみ部２１を、第１ガイド部１２に沿って、第１引張ばね２４の復元力に抗して摺動させることにより、クリップ片２２Ａおよび２２Ｂの先端部がケース１１の開口部分から外部に押し出されることになる。
【００３７】
なお、第１操作部２１の摺動可能範囲には、ケース１１の内壁に、クリップ片２２Ａおよび２２Ｂの外周面と接する内壁部材１５Ａおよび１５Ｂが設置されている。したがって、第１操作部の第１つまみ部２１が、図２（ｃ）に示す位置にまで摺動したときには、内壁部材１５Ａおよび１５Ｂによる内径と、ケース１１による内径との差分だけ、クリップ片２２Ａおよび２２Ｂの先端部が、弾性部材２６の弾性付勢によって拡げられるかたちとなる。
【００３８】
この状態で、クリップ片２２Ａおよび２２Ｂの先端部内側に端子頭部を当接させて挟み込み、第１操作部の第１つまみ部２１から指を離せば、クリップ片２２Ａおよび２２Ｂには第１引張ばね２４の復元力のみが働くので、ケース１１の底面側方向に引っ張られる力によって、内壁部材１５Ａおよび１５Ｂ（のテーパー部分）からクリップ片２２Ａおよび２２Ｂに圧力が加わり、クリップ片２２Ａおよび２２Ｂの先端部内側の歯先が端子頭部に食い込むことで、端子へのクリップ片２２Ａおよび２２Ｂの接続が機械的に強固なものとなる。
【００３９】
仮に、測定対象の電気設備の振動や、プローブ１に対して突発的に外力が加えられるなどに起因して、プローブ１（クリップ片２２Ａおよび２２Ｂ）が端子から外れて落下した場合でも、第１引張ばね２４の復元力により、即座にクリップ片２２Ａおよび２２Ｂの先端部はケース１１内に収納されて、プローブ１の外周は絶縁体のケース１１のみとなるので、周囲の充電部にプローブ１が接触したとしても、地絡・短絡等の事故を引き起すことは無い。
【００４０】
次に、図３および図４（ｂ）を参照して、この実施の形態１のプローブ１のピン部を中心とした内部構造について説明する。ピン部は、図３（ｂ）に示すように、固定導体１４、第２引張ばね３４、板状部材３３、ピン３２および第２操作部３１を備えている。なお、ピン３２の先端部がケース１１の開口側となるよう配されている。ここで、ピン部の固定導体１４、第２引張ばね３４、板状部材３３、ピン３２は導電性材料で形成されている。つまり、導線４１〜固定導体１４〜第２引張ばね３４〜板状部材３３〜ピン３２の経路で、電気的に接続されている。
【００４１】
第２引張ばね３４は、引張コイルばねであり、一端が固定導体１４に接合され、他端が板状部材３３の一方の面に接合されている。また、板状部材３３は、立体的に、ケース１１の長手方向の中心軸となる位置にピン３２を取り付けるものであり、板状部材３３の側周面が固定導体１４の側面内壁に接して、固定導体１４内を摺動する。また、ピン３２は、一端が板状部材３３の他方の面と接合され、他端が固定導体１４の開口側の面に設けられた第１の孔を貫通して、ケース１１の開口部近傍まで伸長し、先端部が先鋭形状に形成されている。なお、前述したように、ピン３２は、クリップ部の第１引張ばね２４の内側、並びに、根元部２３に設けられた孔を貫通している。
【００４２】
また、第２操作部３１は、硬化プラスチック等の絶縁性材料で形成されている。図４（ｂ）に示すように、第２操作部３１の一端は、固定導体１４の開口側の面に設けられた第２の孔を貫通して伸長する接続部材３１ｂを介して、板状部材３３の他方の面と接合され、第２操作部３１の他端は、ケース１１に設けられたケース１１の伸長方向に伸びるスリット状の第２ガイド部１３を通過してケース１１の外部に伸長して、第２つまみ部（３１）が形成されている。図３（ｃ）に示すように、第２操作部の第２つまみ部３１を、第２ガイド部１３に沿って、第２引張ばね３４の復元力に抗して摺動させることにより、ピン３２の先端部がケース１１の開口部分から外部に押し出されることになる。
【００４３】
次に、図５を参照して、この実施の形態１のプローブを用いた測定試験について説明する。図５に示す測定試験は、端子台１０５上の端子１０５ａと、端子１０５ｂ〜端子１０５ｆとの間の電圧をテスター１０３で順次測定していくものである。このような場合には、端子１０５ａに接続する第１プローブ１０１をクリップ式とし、端子１０５ｂ〜端子１０５ｆにそれぞれ当接する第２プローブ１０２をピン式として測定を行うのが効率的である。
【００４４】
このように、測定形態や測定箇所に応じてプローブの切換が望まれるが、この実施の形態１のプローブでは、クリップ部とピン部がケース内に収納されており、クリップを用いる際には第１操作部の第１つまみ部１２１を操作し、ピンを用いる際には第２操作部の第２つまみ部１３２を操作すればよく、測定等の作業を中断することなく、測定箇所に応じて片手による簡単な操作でクリップとピンとの切換が可能である。
【００４５】
また仮に、狭隘な測定場所であったとしても、安全な体勢で作業を行うことができ、作業効率も向上させることができる。また、第２操作部１３３の操作前の状態では，ピンは絶縁性のケース内に収納されているため，測定作業で測定箇所へ第２プローブ１０２を近づける際に，誤って周囲の充電部に接触したとしても地絡・短絡を起こす恐れはない。特に、狭隘な測定場所であれば、ピンをケースに収納した状態で測定箇所まで移動し、測定時にピンを押し出して接触させて測定することで、測定箇所以外への不用意な接触を防止することができる。
【００４６】
さらに、図示のように、第１プローブ１０１’が端子から外れて落下した場合でも、第１引張ばねの復元力により、即座にクリップ片の先端部はケース内に収納されて、プローブの外周は絶縁性のケースのみとなるので、周囲の充電部にプローブが接触したとしても、地絡・短絡等の事故を引き起すことは無い。
【００４７】
以上、この発明の実施の形態１について説明したが、具体的な構成は、上記の実施の形態１に限られるものではなく、この発明の要旨を逸脱しない範囲の設計の変更等があっても、この発明に含まれる。
【００４８】
（変形例１）
上記実施の形態１では、ケース１１内にクリップ部とピン部を収納した構成としたが、クリップ部のみの構成としても良い。この場合、固定導体１４の中空構造は不要となり、導電性の板状部材に置き換えた構成となる。このような構成によっても、クリップをケースの外部に押し出すと、クリップ片の先端部は弾性部材の弾性付勢によって拡げられるかたちとなる。この状態で、クリップ片の先端部内側に端子頭部を当接させて挟み込み、第１操作部の第１つまみ部から指を離せば、クリップ片には第１引張ばねの復元力のみが働くので、ケースの底面側方向に引っ張られる力によってクリップ片の先端部内側が端子頭部に食い込み、端子へのクリップ片の接続が機械的に強固なものとなる。また、第１操作部の操作前の状態では，クリップは絶縁性のケース内に収納されているため，測定作業で測定箇所へプローブを近づける際に，誤って周囲の充電部に接触したとしても地絡・短絡を起こす恐れはない。また仮に、プローブ（クリップ片）が端子から外れて落下した場合でも、第１引張ばねの復元力により、即座にクリップ片の先端部はケース内に収納されて、プローブの外周は絶縁性のケースのみとなるので、周囲の充電部にプローブが接触したとしても、地絡・短絡等の事故を引き起すことは無い。
【００４９】
（変形例２）
また、ケース１１内にピン部のみを収納した構成としても良い。この場合、上記実施の形態１で説明したピン部のみの構成となる。このような構成によっても、第２操作部の操作前の状態では，ピンは絶縁性のケース内に収納されているため，測定作業で測定箇所へプローブを近づける際に，誤って周囲の充電部に接触したとしても地絡・短絡を起こす恐れはない。また、プローブが端子から外れた場合でも、第２引張ばねの復元力により、即座にピンの先端部をケース内に収納することができ、周囲の充電部にプローブが接触したとしても、地絡・短絡等の事故を引き起すことは無い。
【００５０】
（変形例３）
また、図６に示すように、第２ガイド部１３Ｂに、開口側端部近傍でケース１１Ｂの伸長方向と略垂直方向に伸びるスリット状の係止部を備えた構造としても良い。上記実施の形態１および変形例２では、ピン部を押し出した状態で維持可能とする手段を備えておらず、測定時には第２操作部の第２つまみ部３１に対して力を加え続ける必要があったが、係止部に第２操作部３１を係止して、ピン部を押し出した状態で維持可能とすることで、落下事故発生の恐れのない場面での作業性を向上させることができる。
【００５１】
〔実施の形態２〕
変電所、発電所、工場等々の電気設備を構成する電気回路の故障の有無、作動の良否を確認する点検業務においては、電気回路の一部を短絡させた上で、入力端子部に対して模擬的に電流を入力する試験が行われる。例えば、変電所における点検業務において、機器の制御回路等の低圧電気回路の試験や動作確認を行う際には、リード線の両端にプローブを固定した電気設備試験用接続具を用いて試験回路の一部を短絡する等の手法を用いて、点検対象機器の端子台から模擬的な入力を行う。
【００５２】
図７は電気設備試験用接続具を用いた制御用リレーの点検を例示する説明図であり、正側の母線２００と負側の母線２０１との間にはタイマ付き制御用リレー２０５と、制御対象機器２０６とが、それぞれ並列に接続されており、母線２００とタイマ付き制御用リレー２０５との間、並びに、母線２００と制御対象機器２０６との間には、それぞれスイッチＳＷ１、ＳＷ２が配置されている。このタイマ付き制御用リレー２０５に対して母線２００から模擬入力を行う場合には、スイッチＳＷ１をオフした状態で図示のような電気設備試験用接続具２１０を用いて短絡回路を形成する。
この電気設備試験用接続具２１０は、リード線２１４，２１５の両端部にプローブ２１１，２１２を固定すると共に、リード線２１４，２１５の間部に保護用ヒューズ２１３を配した構成である。図７において、制御用リレーの点検作業は次のようにして行われる。すなわち、一方のクリップ式のプローブ２１１を母線２００側の導体部分（端子）に挟んで導通、固定した状態で、他方のクリップ式のプローブ２１２を片手で把持してタイマ付き制御用リレー側に設けられた端子台２０６を構成する所定の端子（タイマを作動させるための端子）２０６ａに当接させることにより、スイッチＳＷ１を備えた配線を介さずに模擬入力を行う。模擬入力によりタイマを作動させることにより、電気回路のシーケンス動作の確認が行われる。
【００５３】
しかしながら、この種の試験を複数のタイマ付き制御用リレーに対して行う場合には、プローブ２１２の先端を端子台１０６上の異なった端子１０６ａ，１０６ｂ，１０６ｃに順次当接させてゆく必要があるため、プローブ２１２をクリップ式にして端子毎にクリップ部により端子頭部を挟み込むことは効率的でなく、図８に示すように、プローブ２１２をピン式にしてピン先端部を各端子１０６ａに当接させるだけで導通を図った方が効率的である。この実施の形態２の電気設備試験用接続具２１０では、プローブ２１１，２１２として、実施の形態１で説明した同一構造のプローブを用いており、クリップ式またはピン式の切換を簡単な操作で即座に行うことができる。
【００５４】
この実施の形態２の電気設備試験用接続具２１０によれば、プローブの第１操作部または第２操作部の操作前の状態では，クリップまたはピンは絶縁性のケース内に収納されているため，測定作業で測定箇所へプローブを近づける際に，誤って周囲の充電部に接触したとしても地絡・短絡を起こす恐れはない。また、プローブ（クリップ片またはピン）が端子から外れて落下した場合でも、第１引張ばねまたは第２引張ばねの復元力により、即座にクリップ片またはピンの先端部はケース内に収納されて、プローブの外周は絶縁性のケースのみとなるので、周囲の充電部にプローブが接触したとしても、地絡・短絡等の事故を引き起すことは無い。
【符号の説明】
【００５５】
１，２          プローブ
１１            ケース
１２            第１ガイド部
１３            第２ガイド部
１４            固定導体
１５Ａ，１５Ｂ  内壁部材
２１            第１操作部（第１つまみ部）
２２Ａ，２２Ｂ  クリップ片
２３            根元部
２４            第１引張ばね
２５Ａ，２５Ｂ  接合ピン
２６            弾性部材
３１            第２操作部（第２つまみ部）
３２            ピン
３３            板状部材
３４            第２引張ばね
４１            導線
２１０          電気設備試験用接続具
２１１，２１２  プローブ
２１３          保護用ヒューズ
２１４，２１５  リード線
【図１】
2016217794.tif 000003
【図２】
2016217794.tif 000004
【図３】
2016217794.tif 000005
【図４】
2016217794.tif 000006
【図５】
2016217794.tif 000007
【図６】
2016217794.tif 000008
【図７】
2016217794.tif 000009
【図８】
2016217794.tif 000010